(57)【要約】【課題】複数の記憶メディアと複数のフォルダーと複数のサムネイルとの相互の関係をわかり易くする表示し、かつ、任意のフォルダーを選択しやすくし操作性を向上する。【解決手段】この発明の一実施形態は画像取り込み部、画像データ処理部、表示部、記憶部、制御部を有し、湾曲帯状像を表示させ、複数の記憶メディアマーク像を表示させ、複数フォルダーアイコン像を前記湾曲帯状像上に配列して同時に表示させる。前記複数フォルダーアイコン像のうち中央の像のフォルダー内の複数のサムネイルを表示させる。操作入力に応じて、カーソルを前記複数のサムネイルのいずれかの位置、若しくは前記複数フォルダーアイコン像の内の中央のアイコン像の位置、若しくは前記複数の記憶メディアマーク像のいずれかの位置の任意の位置に移動制御し選択状態を得られる。【選択図】      図３
2009077214.tif 000002
【特許請求の範囲】
【請求項１】
画像取り込み部で取得された取得画像データを処理する画像データ処理部と、
前記画像データ処理部で処理された表示用画像データを表示する表示部と、
前記画像データ処理部で処理された記憶用画像データを記憶する記憶部と、
前記画像取り込み部、画像データ処理部、表示部、および記憶部を制御する制御部を有し、
前記制御部は、前記表示部に帯状像を表示させ、前記帯状像の近くに複数の記憶メディアマーク像を表示させ、この複数の記憶メディアマーク像のうち指定されている記憶メディアに含まれる複数のフォルダーの複数フォルダーアイコン像を前記帯状像上に配列して同時に表示させる表示パーツ選択部と、
前記複数フォルダーアイコン像のうち中央の像のフォルダー内の複数のサムネイルを前記帯状像の右側である外側領域に表示させるサムネイル制御部と、
操作入力に応じて、前記カーソルを前記複数のサムネイルのいずれかの位置、若しくは前記複数の前記フォルダーアイコン像の内の中央のアイコン像の位置、若しくは前記複数の記憶メディアマーク像のいずれかの位置の任意の位置に移動制御し、選択状態を得るカーソル位置制御部と、
を有することを特徴とする撮像装置。
【請求項２】
前記表示パーツ選択部は、前記表示部の左側領域に対してリング形の一部分の前記帯状像を表示させ、前記帯状像の左側である内側領域に複数の記憶メディアマーク像を表示させ、この複数の記憶メディアマーク像のうち指定されている記憶メディアに含まれる複数のフォルダーの複数フォルダーアイコン像を前記帯状像上に配列して同時に表示させ、
前記サムネイル制御部は、前記複数フォルダーアイコン像のうち中央の像のフォルダー内の複数のサムネイルを前記帯状像の右側である外側領域に表示させる、
ことを特徴とする請求項１記載の撮像装置。
【請求項３】
前記複数のサムネイルのデータを含み、かつ前記複数フォルダーアイコン像のフォルダーを含む記憶メディアの記憶メディアマーク像がハイライトされ、他の記憶メディア像が輝度抑制されていることを特徴とする請求項１記載の撮像装置。
【請求項４】
前記表示部は表示パネルを含み前記表示パネルの左側辺には、前記操作入力を与えるジョグダイヤルが設けられており、
前記制御部は、前記ジョグダイヤルが回転したとき前記湾曲帯状像上に複数配列されたフォルダーアイコン像を回転移動して表示させる表示パーツ移動処理部を有することを特徴とする請求項１記載の撮像装置。
【請求項５】
前記カーソルが、前記記憶メディアマーク像を指定したときは、前記表示パーツ選択部は、前記複数のサムネイルの表示に変えて、指定された記憶メディアの使用領域と空き領域の情報を表示することを特徴とする請求項１記載の撮像装置。
【請求項６】
前記記憶メディアマーク像は、メモリカード，ハードディスク，ＤＶＤ，ＨＤ  ＤＶＤ，Ｂｌｕ−ｒａｙのいずれか複数を示すマークであることを特徴とする請求項４記載の撮像装置。
【請求項７】
前記カーソル位置制御部は、前記多機能ボタンからの操作入力に応答して、前記カーソルを前記複数のサムネイルのいずれかの位置、若しくは前記複数フォルダーアイコン像の内中央のアイコン像の位置、若しくは前記複数の記憶メディアマーク像のいずれかの位置の任意の領域に移動制御することを特徴とする請求項１記載の撮像装置。
【請求項８】
画像取り込み部で取得された取得画像データを処理する画像データ処理部と、前記画像データ処理部で処理された表示用画像データを表示する表示部と、前記画像データ処理部で処理された記憶用画像データを記憶する記憶部と、操作入力を与えるための操作入力部とを有し、前記操作入力部からの操作入力に応答して、制御部により前記画像取り込み部、画像データ処理部、表示部、および記憶部を制御するようにした撮像装置の制御方法において、
前記表示部に帯状像を表示し、
前記帯状像に近接して複数の記憶メディアマーク像を表示し、
この複数の記憶メディアマーク像のうち指定されている記憶メディアに含まれる複数のフォルダーの複数フォルダーアイコン像を前記帯状像上に配列して同時に表示し、
前記複数フォルダーアイコン像のうち中央の像のフォルダー内の複数のサムネイルを前記帯状像の近くに表示し、
操作入力に応じて、前記カーソルを前記複数のサムネイルのいずれかの位置、若しくは前記複数の前記フォルダーアイコン像の内の中央のアイコン像の位置、若しくは前記複数の記憶メディアマーク像のいずれかの位置の任意の位置に移動制御し選択状態を得られるようにしたことを特徴とする、撮像装置の制御方法。
【請求項９】
前記複数のサムネイルのデータを含み、かつ前記複数フォルダーアイコン像のフォルダーを含む記憶メディアの記憶メディアマーク像をハイライト表示し、他の記憶メディア像が輝度抑制して表示することを特徴とする請求項８記載の撮像装置の制御方法。
【発明の詳細な説明】
【技術分野】
【０００１】
この発明は、撮像装置とその制御方法に関する。特にこの発明は、複数の記憶媒体に動画及び又は静止画を記憶することができ、かつ複数のフォルダー、複数のサムネイルを管理する装置に適用されて有効である。
【背景技術】
【０００２】
撮像装置には、複数のフォルダー（アルバムと称してもよい）、及び各フォルダー内の複数のサムネイルを管理する機能が設けられている（例えば特許文献１及び２）。この管理機能では、表示部に複数のサムネイルが表示された場合、この複数のサムネイルのデータがどのフォルダーに格納されているものであるかを示すように、フォルダー番号などが同時に表示される。
【０００３】
一方近年では、記憶メディアの技術進歩により記憶メディアの記憶容量が大きくなっている。また、複数の記憶メディアを装填できる撮像装置（例えばハードディスクを内蔵し、メモリカードをさらに着脱できる装置）が開発されている。
【０００４】
このような撮像装置においては、複数のサムネイルが表示部に表示されたとき、どのフォルダーが開かれているのか、また他にフォルダーが存在するのか否か、またどの記憶メディアがアクセスされているのかが分かりにくいという問題があった。
【０００５】
さらに、任意の記憶メディア内の種々のフォルダーの中から所望のフォルダーを選択する際の操作性向上が望まれている。
【特許文献１】特開２００６−１９１３００号
【特許文献２】特開２００６−１４８８７４号
【発明の開示】
【発明が解決しようとする課題】
【０００６】
そこでこの発明は、複数の記憶メディアと、複数のフォルダーと、複数のサムネイルとの相互の関係をわかり易くする表示し、かつ、任意のフォルダーを選択しやすくし、操作性を向上した撮像装置とその制御方法を提供することにある。
【課題を解決するための手段】
【０００７】
この発明の一面は、上記課題を解決するために、画像取り込み部で取得された取得画像データを処理する画像データ処理部と、前記画像データ処理部で処理された表示用画像データを表示する表示部と、前記画像データ処理部で処理された記憶用画像データを記憶する記憶部と、前記画像取り込み部、画像データ処理部、表示部、および記憶部を制御する制御部を有し、前記制御部は、前記表示部に帯状像を表示させ、前記帯状像の近くに複数の記憶メディアマーク像を表示させ、この複数の記憶メディアマーク像のうち指定されている記憶メディアに含まれる複数のフォルダーの複数フォルダーアイコン像を前記帯状像上に配列して同時に表示させる表示パーツ選択部と、前記複数フォルダーアイコン像のうち中央の像のフォルダー内の複数のサムネイルを前記帯状像の右側である外側領域に表示させるサムネイル制御部と、操作入力に応じて、前記カーソルを前記複数のサムネイルのいずれかの位置、若しくは前記複数の前記フォルダーアイコン像の内の中央のアイコン像の位置、若しくは前記複数の記憶メディアマーク像のいずれかの位置の任意の位置に移動制御し、選択状態を得るカーソル位置制御部と、を有することを特徴とする。なおこの明細書では撮像と撮影は同じ意味で用いることにする。
【発明の効果】
【０００８】
上記の手段によると、表示部に相互に関連した複数の記憶メディアマーク像、複数フォルダーアイコン像、複数サムネイルが同時に表示され、相互の関係が分かりやすく、かつカーソルがいずれの位置にも移動可能であり、記憶メディア、フォルダーを選択するための操作性が優れている。
【発明を実施するための最良の形態】
【０００９】
以下図面を参照して、この発明の実施の形態を説明する。図１には、この発明が適用された撮像装置、例えばハイビジョン・ビデオカメラの概観を示している。ハイビジョン・ビデオカメラは、動画の撮影、および静止画の撮影が可能である。
【００１０】
図１（Ａ）はハイビジョン・ビデオカメラを上部から見た図である。また、図１（Ｂ）はハイビジョン・ビデオカメラを後方から見た図である。図１（Ａ）及び図１（Ｂ）に示すように、ハイビジョン・ビデオカメラは、撮像装置本体１０００、表示パネル２０００、及びレンズ部４０００を備えている。
【００１１】
撮像装置本体１０００は、電源スイッチ１１００、ズームレバー１１０１、撮像／再生切替ボタン１１０２、撮像ボタン１１０３、チャプターボタン１１０４、及びオート設定ボタン１１０５を備えている。
【００１２】
電源スイッチ１１００は、ハイビジョン・ビデオカメラの電源状態を切り替える為のものである。ズームレバー１１０１は、レンズ部４０００のレンズの焦点距離を調整する為のものである。撮像／再生切替ボタン１１０２は、ハイビジョン・ビデオカメラの動作モードを、映像を撮像する撮影モードと記憶されている撮像データを再生する再生モードとで切り替える為のものである。撮像ボタン１１０３は、ハイビジョン・ビデオカメラの動作モードが撮影モードである場合に映像の記録を実行するものである。チャプターボタン１１０４は、撮像データに区切りを設定する為のものである。オート設定ボタン１１０５は、映像を撮像する場合、例えば、光感度、明るさ等の各種の設定を自動的に設定する処理を実行させるためのものである。また１１０６は、静止画撮影用のボタンである。
【００１３】
表示パネル２０００は、撮像装置本体１０００に対して開閉可能な状態で取り付けられているハイビジョン・ビデオカメラの表示部である。この表示パネル２０００は、通常は、撮像装置本体１０００の凹部に収まるもので、使用時には図に示すように開かれる。表示パネル２０００は、表示パネル２０００の長手方向を軸として回転することが出来る。表示パネル２０００は、液晶モニタを備えている。液晶モニタは、ハイビジョン・ビデオカメラが撮像している映像を表示するものであり、アスペクト比１６：９のハイビジョン用画面により構成されている。表示パネル２０００の液晶モニタの外枠には、ジョグダイヤル２１００、メニューボタン２１０１、多機能ボタン２１０３が設けられている。
【００１４】
ジョグダイヤル２１００は、各種機能の選択操作を行うためのものであり、例えば、回転可能なダイヤルにより構成される。メニューボタン２１０１は、液晶モニタに各種のメニュー表示を行うためのものである。多機能ボタン２１０３は、十字キー機能を含み各種機能の選択操作を行うことができ、例えば、上下方向及び左右方向に押し下げ可動可能である。また多機能ボタン２１０３は、ＯＫボタン機能を含み、各種機能の選択操作を確定するためのものであり、十字キーの中央に設けられている。なお、メニューボタン２１０１、ジョグダイヤル２１００と多機能ボタン２１０３とが隣接して設けることにより、ジョグダイヤル２１００を操作後にＯＫボタンを容易に操作することができる。右手で撮像装置本体１０００を安定して支え、左手で表示パネル２０００のフレームを支えて、かつ、左手の親指で、メニューボタン２１０１、ジョグダイヤル２１００と多機能ボタン２１０３を任意に選択して操作することができ、操作性が優れている。
【００１５】
レンズ部４０００は、映像を撮像するためのものであり、映像を受光するための撮像レンズを有する。
【００１６】
図２は、上記のハイビジョン・ビデオカメラの光学系、及び電気系のブロック構成を示す図である。ハイビジョン・ビデオカメラは、画像取り込み部１００、信号処理部２００、表示部３００、記憶部４００、及び制御部５００を備えている。
【００１７】
画像取り込み部１００は、レンズ１１、撮像素子１２、アナログデジタル（Ａ／Ｄ）変換部１３、制御部１８を備えている。レンズ１１から取り込まれた被写体像は、撮像素子１２（例えばＣＣＤ撮像素子）の結像面に結像させる。被写体像は、ここで電気信号に変換されアナログデジタル（Ａ／Ｄ）変換部１３によりデジタル信号（映像データ）に変換され、後段の信号処理部１４に入力する。撮像部の制御部１８は、制御部５００からの制御信号に応じてズーム調整、自動アイリス調整（ＡＥ）、自動フォーカス調整（ＡＦ）、フラッシュ制御等を行うことができる。
【００１８】
信号処理部２００は、信号処理部１４、メモリコントローラ１５、画像圧縮・伸張処理部１６、ワークメモリ１７、及びメモリ４５を備えている。信号処理部１４では、画像取り込み部１００からの被写体像のデジタル信号に対してガンマ補正、色信号分離、ホワイトバランス調整等が行われる。通常の撮影状態で撮影開始操作がなされていないときは、信号処理部１４からの映像データは、メモリコントローラ１５を介して画像表示処理部６１に入力される。撮影開始操作がなされると、映像データは、画像圧縮・伸張処理部１６において、記憶部４００に格納する為に画像圧縮（例えばＭＰＥＧ／ＪＰＥＧ方式による圧縮）が施される。
【００１９】
ワークメモリ１７は、例えば、画像データを編集したり、サムネイル画像を作成したり、画像の順番の入れ替えをするときに利用される。さらには、各種のアイコンを編集する場合にも利用される。このワークメモリ１７は、１画面分の画像データ或は複数画面分の画像データを保存することができる。このワークメモリ１７に保存されている映像データは、メモリコントローラ１５を介して画像表示処理部６１に入力される。
【００２０】
表示部３００は、画像表示処理部６１、及び液晶モニタ６２を備えている。画像表示処理部６１は、受信した映像データを液晶モニタ６２に表示する為の変換処理及びメニューなどの各種の表示パーツ（アイコンなど）を合成するＶｉｄｅｏ  ＯＳＤ合成を行い、液晶モニタ６２に供給する。液晶モニタ６２は、受信した映像データを逐次表示する。これにより、撮像中の画像、あるいはスタンバイ状態で狙っている被写体画像が液晶モニタ６２に表示される。
【００２１】
記憶部４００は、記憶メディアＩｎｐｕｔ／Ｏｕｔｐｕｔ（Ｉ／Ｏ）３１を備えている。記憶メディアＩ／Ｏ３１には、ハードディスク（ＨＤＤ）３２Ａ、若しくは半導体メモリ３２Ｂなどの記憶媒体が装着される。記憶メディアＩ／Ｏ３１に装着されている記憶媒体には、制御部５００による制御に基づいて、映像データが格納される。また、制御部５００による制御に基づいて、記憶メディアＩ／Ｏ３１に装着されている記憶媒体に格納されている映像データが読み出された場合、映像データは、画像圧縮・伸張処理部１６において伸張処理され、メモリコントローラ１５を介して画像表示処理部６１に入力される。即ち、再生画像が液晶モニタ６２に表示される。なお、記録メディアとしては、上記のものに限定されず、例えば光ディスク（ＤＶＤ）などであってもよい。
【００２２】
制御部５００は、システム制御部２０を備えている。システム制御部２０は、ハイビジョン・ビデオカメラ全体の動作を制御するものであり、ＣＰＵ、ＣＰＵの作業領域として機能するＲＡＭなどのバッファメモリ、ＣＰＵが実行する種々のプログラムや制御データなどが記憶されているＲＯＭなどのプログラムメモリなどから構成される。システム制御部２０では、ＣＰＵがプログラムメモリに記憶されているプログラムを実行することにより種々の機能を実現している。
【００２３】
また、ハイビジョン・ビデオカメラは、操作部２１、リモコン受信部２２、姿勢検出部２３、外部インターフェース２４、音声Ｉ／Ｏ４１、マイク４３、及びスピーカ４４を備えている。
【００２４】
操作部２１は、外部からの操作入力を受け取る為のものであり、図１に示した各種のボタン、またはスイッチの総称である。リモコン受信部２２は、外部の図示しないリモートコントローラによる操作入力を受信するためのものである。制御部５００は、操作部２１及びリモコン受信部２２により受信した操作入力を装置全体に反映させるように制御している。
【００２５】
図３は、上記したシステム制御部２０の内部の機能の一部をブロック化して示している。撮像制御部２０１は、操作入力に応じて撮影モードを設定し、撮像画像データを取り込むために各部を制御する。再生制御部２０２は、操作入力に応じて再生モードを設定する。表示制御部２０３は信号処理部２００からの表示用画像データを表示する。記録制御部２０４は、撮像した画像データが信号処理部２００で圧縮され、選択された記録メディアに記録されるように、各部を制御する。操作入力判定２１０は、操作部２１、あるいはリモコン受信部２２から入力した操作信号を解析して操作信号を判定する。
【００２６】
表示パーツ選択部２１１は、メニュー画面などに表示する任意の表示パーツ（アイコン、マークなど）を選択する。各種表示パーツは、メモリ或いは、画像表示処理部６１に格納されている。
【００２７】
表示パーツ移動処理部２１２は、操作入力に応答して、表示パーツの移動・消去などを制御する。ハイライト（カーソル）位置制御部２１４は、操作入力に応答して、ハイライト位置（カーソル位置）の表示位置を制御する。機能設定部２１５は、セットアップ部２１６と相俟って、撮像装置に対して各種機能を設定するための部分である。基本処理制御部２１７は、基本的な動作機能、例えばデータ転送、読出し、タイミング設定などを制御する部分である。サムネイル制御部２２０は、サムネイルの作成、表示出力、スクロールなどの制御を行なう。チャプター制御部２３０は、チャプター管理機能を有し、チャプターの生成、チャプターの代表画像の設定とその小画像の作成などを行なう。姿勢情報処理部２４０は、姿勢検出部２３からの情報を処理し、画面に対して、水平基準となる参照画像を表示したり、傾き状態に応じて参照画像の濃度を可変したりする。
【００２８】
図４は、ズームレバー１１０１の部分を拡大して示している。再生モードにおいて、このズームレバー１１０１を、左側（Ｗ側）に押すと、サムネイル及び階層表示（一覧表示）が得られる。
【００２９】
図５は、一覧表示に移行したときの表示部３００の画面の様子である。この画面は、操作入力に応じて制御部５００が各部を制御することにより得られている。表示パーツ選択部２１１は、表示部３００の画面の左側領域に対してリング形の一部分の湾曲帯状像２０５１を表示させる。また、湾曲帯状像２０５１の左側である内側領域に複数の記憶メディアマーク像２０５２（例えばハードディスク），２０５３（例えばメモリカード）を表示させる。さらにこの複数の記憶メディアマーク像２０５２，２０５３のうち指定されている記憶メディアに含まれる複数のフォルダーの複数フォルダーアイコン像２０５４，２０５５，２０５６，２０５７，２０５８を湾曲帯状像２０５１上に配列して同時に表示させる。
【００３０】
ここで、サムネイル制御部２２０は、複数フォルダーアイコン像２０５４，２０５５，２０５６，２０５７，２０５８のうち中央の像２０５４のフォルダー内の複数のサムネイルを湾曲帯状像２０５１の右側である外側領域に表示させる。
【００３１】
このように、一覧表示では、表示部３００の画面は、左側からドライブ選択エリア、アルバム選択エリア、画像選択エリアに大きく分類される。
【００３２】
ここで例えば多機能ボタンからの操作入力に応じて、カーソルを複数のサムネイルのいずれかの位置、若しくは複数のフォルダーアイコン像の内の中央のアイコン像２０５４の位置、若しくは前記複数の記憶メディアマーク像のいずれかの位置の任意の位置に移動制御し、選択状態を得ることができる。
【００３３】
カーソルは、サムネイルの外周を囲むハイライト、フォルダーアイコン像の外周を囲むハイライト、記憶メディアマーク像のハイライト表示という形態で現れる。
【００３４】
記憶メディアとしてはメモリカード，ハードディスク，ＤＶＤ，ＨＤ  ＤＶＤ，Ｂｌｕ−ｒａｙなどがの組み合わせがある。
【００３５】
今、ハードディスクの記憶メディアマーク像２０５２にカーソルを移動させて、多機能ボタンを押したとすると、ハードディスクに格納されているフォルダーアイコン像が湾曲帯状像２０５１上に配列して表示される。また、中央のフォルダーアイコン像２０５４に対応したフォルダー内のサムネイルが例えば９個表示される。
【００３６】
多機能ボタンの左側、あるいは右側を押さえることにより、カーソル位置制御部２１４が機能することで、カーソルはドライブ選択エリア、アルバム選択エリア、画像選択エリアのいずれの領域でも自由に移動させることができる。
【００３７】
今、図６（Ａ）、図６（Ｂ）に示すように多機能ボタンを操作して、カーソルをアルバム選択エリアに移動させたとする。このときのカーソルは、配列された複数フォルダーアイコン像２０５４，２０５５，２０５６，２０５７，２０５８のうち中央の像２０５４を指定する。するとこのフォルダーアイコン像に対応するフォルダー内のサムネイルが表示される。また当該フォルダーを含む記憶メディア（このときは２０５２が指定されているものとする）のアイコン２０５２がハイライトされるとともに、表示部３００の上部にも表示される（２０６０参照）。
【００３８】
ここで別のフォルダー内のサムネイルを確認したい場合には、ジョグダイヤル２１００が回転される。すると、表示パート移動処理部２１２の働きにより、図７（Ａ），図７（Ｂ）に示すように、湾曲帯状像２０５１上に配列されているフォルダーアイコン像２０５４，２０５５，２０５６，２０５７，２０５８などのうち、任意のものを中央位置に移動させてくることができる。そして、中央位置に来たフォルダーアイコン像に対応したフォルダー内のサムネイルが表示される。この操作感覚は、いかにもジョグダイヤルに湾曲帯状像２０５１上に配列されているフォルダーアイコン像２０５４，２０５５，２０５６，２０５７，２０５８が連動しているような感覚である。つまりフォルダーアイコン像の映像をジョグダイヤル感覚で視覚上捉えることができる。
【００３９】
次に、ドライブ選択エリアにカーソルを移動させたときの表示状態について説明する。図８（Ａ），図８（Ｂ）に示すように、カーソルにより、ハードディスクの記憶メディアマーク像２０５２が選択されかつ指定が行なわれたとする。すると、表示パーツ選択部２１１は、複数のサムネイルの表示に変えて、指定された記憶メディアの使用領域と空き領域の情報を表示させる。図９（Ａ），図９（Ｂ）は、メモリカードの記憶メディアマーク像２０５３が選択されかつ指定が行なわれた場合の表示状態を示している。
【００４０】
図１０には、表示部３００にさらに表示されている各種の情報を示している。選択されているドライブアイコン像の隣には現在選択されているフォルダーアイコン像も表示されている。またフォルダー番号、ファイル番号も表示可能である。さらにサムネイル上にカーソルが移動したとき、撮影日時、総毎数分何番目（例では５番／２０枚が表示されている）であるのかの情報も表示される。
【００４１】
図１１には、複数のサムネイル表示状態で、カーソルが移動する例を説明するために示している。カーソルが１にある場合、多機能ボタンの右キーを押すことで１→２→３の順にカーソルが移動する。同様にカーソルが４にある場合は、右キーを押すことで４→５→６、カーソルが７にある場合は、右キーを押すことで７→８→９の順にカーソルが移動する。
【００４２】
カーソルが３にある場合、左キーを押すことで３→２→１→フォルダーの順にカーソルが移動する。このようにサムネイル同士のカーソル移動だけでなく、サムネイルからフォルダーへの階層間の移動も方向キーで行うことができる。同様にカーソルが６にある場合は、左キーを押すことで６→５→４→フォルダー、カーソルが９にある場合は、左キーを押すことで９→８→７→フォルダーの順にカーソルが移動する。
【００４３】
カーソルが１にある場合、下キーを押すことでで１→４→７の順にカーソルが移動し、画像が10以上あるときは、さらに下キーを押すとカーソルが２ページ目に移動する。同様にカーソルが２にある場合は、下キーを押すことで２→５→８、カーソルが３にある場合は、下キーを押すことで３→６→９の順にカーソルが移動する。いずれも２ページ目があれば下キーをさらに押して２ページ目にカーソルを移動させることができる。
【００４４】
カーソルが７にある場合、上キーを押すことで７→４→１の順にカーソルが移動し、さらに上キーを押すと前のフォルダーのサムネイルにカーソルが移動する。同様にカーソルが８にある場合は、上キーを押すことで８→５→２、カーソルが９にある場合は、上キーを押すことで９→６→３の順にカーソルが移動する。いずれもさらに上キーを押すと前のフォルダーのサムネールにカーソルが移動する。
【００４５】
カーソルが前のフォルダーのサムネイルに移動すると、画面左上のフォルダーアイコン、フォルダー番号、および左側のフォルダーアイコンも連動して変化する。
【００４６】
図１２はさらに別の階層型一覧表示画面の実施例を示す図であり、カーソルはフォルダーにある。画面右下にはアルバムを作成した日時が表示される。このとき、上下キーを押してフォルダーを切り換えることができる。フォルダーを切り換えると、新しく選択されたフォルダー内にある画像が、サムネイルとして表示される。また、画面左上のフォルダアイコンおよびフォルダ番号も連動して変化する。カーソルがフォルダーにあるとき、左キーを押すとカーソルが記録媒体に移動し、右キーを押すとカーソルがサムネイルに移動する。
【００４７】
図１３はさらに階層型一覧表示画面の実施例を示す図であり、カーソルは記録媒体(ＨＤＤ)にある。このとき、画面中断右側には、サムネイルではなく記録媒体の使用領域および空き領域を示す情報を表示している。下キーを押すことで記録媒体をＨＤＤからＳＤカードに切り換えることができる。
【００４８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４９】
また上記の説明では、操作入力を与える手段が表示パネル２０００の左側部の多機能ボタンを有するものとして説明した。しかしこの手法に限らず、この発明の装置は、外部インターフェース２４を介して、ＨＤＭＩＣＥＣ機能を用いて、デジタルテレビジョン受信装置と接続することができる。このときは、デジタルテレビジョン受信装置は、モニタとして機能する。さらに、当該デジタルテレビジョン受信装置を操作するリモートコントローラの十字キー、ＯＫボタンを用いて、表示パネル２０００の左側部の多機能ボタンの操作と同じ操作を行うことが可能である。
【００５０】
またこの発明は、制御方法及びこの制御方法を実効させるためのプログラム、さらにはこのプログラムを格納した記憶媒体にも及ぶものである。
【００５１】
即ち、本発明では、画像取り込み部で取得された取得画像データを処理する画像データ処理部と、前記画像データ処理部で処理された表示用画像データを表示する表示部と、前記画像データ処理部で処理された記憶用画像データを記憶する記憶部と、操作入力を与えるための操作入力部と、前記操作入力部からの操作入力に応答して、制御部により前記画像取り込み部、画像データ処理部、表示部、および記憶部を制御するようにしている。
【００５２】
制御部の制御により、前記表示部の左側領域に対してリング形の一部分の湾曲帯状像を表示し、前記湾曲帯状像の左側である内側領域に複数の記憶メディアマーク像を表示し、この複数の記憶メディアマーク像のうち指定されている記憶メディアに含まれる複数のフォルダーの複数フォルダーアイコン像を前記湾曲帯状像上に配列して同時に表示することができる。さらに、前記複数フォルダーアイコン像のうち中央の像のフォルダー内の複数のサムネイルを前記湾曲帯状像の右側である外側領域に表示し、操作入力に応じて、前記カーソルを前記複数のサムネイルのいずれかの位置、若しくは前記複数の前記フォルダーアイコン像の内の中央のアイコン像の位置、若しくは前記複数の記憶メディアマーク像のいずれかの位置の任意の位置に移動制御し選択状態を得られるようにしている。
【００５３】
また複数のサムネイルのデータを含み、かつ前記複数フォルダーアイコン像のフォルダーを含む記憶メディアの記憶メディアマーク像をハイライト表示し、他の記憶メディア像が輝度抑制して表示することもできる。そして、上記撮像装置の制御方法を実行させるためのプログラム及びこのプログラムを格納したメモリが設けられている。
【図面の簡単な説明】
【００５４】
【図１】この発明が適用された撮像装置の概観を示す説明図である。
【図２】図１の撮像装置の内部の電気的機能ブロックを示す図である。
【図３】図２の制御部の内部の機能ブロックを示す図である。
【図４】この発明の特徴的な動作を開始するときの操作手段を示す説明図である。
【図５】この発明の特徴の一部となる一覧表示の例を示す図である。
【図６】図５に示した一覧表示の変化とこの変化を伴う操作を説明するために示した説明図である。
【図７】図５に示した一覧表示の変化とこの変化を伴う操作を説明するために示した他の説明図である。
【図８】図５に示した一覧表示の変化とこの変化を伴う操作を説明するために示したさらに他の説明図である。
【図９】図５に示した一覧表示の変化とこの変化を伴う操作を説明するために示したさらにまた他の説明図である。
【図１０】図５に示した一覧表示の変化を説明するために示した他の説明図である。
【図１１】図５に示した一覧表示の変化を説明するために示したまた他の説明図である。
【図１２】図５に示した一覧表示の変化を説明するために示したさらにまた他の説明図である。
【図１３】図５に示した一覧表示の変化を説明するために示したまた他の説明図である。
【符号の説明】
【００５５】
１０００・・・撮像装置本体、１１００・・・電源スイッチ、１１０１・・・ズームレバー、１１０２・・・撮像／再生切替ボタン、１１０３・・・撮影ボタン、１１０４・・・チャプターボタン、２０００・・・表示パネル、２１００・・・ジョグダイヤル、２１０１・・・メニューボタン、２１０３・・・多機能ボタン、１００・・・画像取り込み部、２００・・・画像データ処理部、３００・・・表示部、４００・・・記憶部、５００・・・制御部。
【図１】
2009077214.tif 000003
【図２】
2009077214.tif 000004
【図３】
2009077214.tif 000005
【図４】
2009077214.tif 000006
【図５】
2009077214.tif 000007
【図６】
2009077214.tif 000008
【図７】
2009077214.tif 000009
【図８】
2009077214.tif 000010
【図９】
2009077214.tif 000011
【図１０】
2009077214.tif 000012
【図１１】
2009077214.tif 000013
【図１２】
2009077214.tif 000014
【図１３】
2009077214.tif 000015